(57)【特許請求の範囲】
【請求項１】
前方側に突出用孔が形成されたケーシングと、
該ケーシング内に収容されるとともに、軸線回りにカム面が形成されたカム部と、
前記カム部に対して前記軸線方向前方側に連結されるとともに、前記突出用孔から突出可能なサイズに形成され、かつ、前記軸線回りの回転に関して非対称形状とされた突出部と、
前記ケーシングに対して相対回転不可能な状態で前記ケーシング内に収容され、前記カム面を前記軸線と直交する方向から把持するヒンジばねと、
前記ケーシング内において前記カム部の前記軸線方向後方側に収容され、前記突出部を前記軸線方向前方側へと付勢する押しばねと、を具備し、
前記突出部は、略半球形状とされているとともに、先端に、前記軸線回りの回転に関して非対称形状をなす凹部を有し、
前記カム部および前記突出部を貫通する貫通孔が、前記突出部において前記凹部内に開口して設けられ、
前記貫通孔内には、先端が前記凹部内に突出引込自在とされたスプリングプローブが設けられていることを特徴とするヒンジ装置。
【請求項２】
携帯式電話機本体に対して開閉されるフリップであって、
請求項１記載のヒンジ装置を備えているとともに、該ヒンジ装置を利用して前記携帯式電話機本体に対して着脱されるよう構成されていることを特徴とするフリップ。
【請求項３】
携帯式電話機本体に対して開閉されるフリップと、携帯式電話機本体と、を具備する携帯式電話機であって、
前記フリップおよび前記携帯式電話機本体の一方に、請求項１記載のヒンジ装置が備えられ、前記フリップが該ヒンジ装置を利用して前記携帯式電話機本体に対して着脱されるよう構成されていることを特徴とする携帯式電話機。
【請求項４】
請求項３記載の携帯式電話機において、
前記フリップおよび前記携帯式電話機本体の一方に、請求項１記載のヒンジ装置が備えられ、
前記フリップおよび前記携帯式電話機本体の他方に、前記ヒンジ装置の前記突出部における前記凹部に対して凹凸嵌合する凸部が設けられていることを特徴とする携帯式電話機。
【請求項５】
請求項３または４記載の携帯式電話機において、
前記フリップおよび前記携帯式電話機本体の他方に、前記フリップを取り外すに際して、前記ヒンジ装置の前記突出部を前記軸線方向後方側に押し込むための押込機構が設けられていることを特徴とする携帯式電話機。
【請求項６】
請求項３、４または５記載の携帯式電話機において、
前記フリップおよび前記携帯式電話機本体の他方に、前記フリップを装着するに際して、前記ヒンジ装置の前記突出部に当接して該突出部を前記軸線方向後方側に押し込むよう案内する傾斜案内部が設けられていることを特徴とする携帯式電話機。
【発明の詳細な説明】
【０００１】
【発明の属する技術分野】
本発明は、着脱機能を備えたヒンジ装置に関するものである。また、このようなヒンジ装置を備えることにより着脱機能を備えたフリップに関するものである。さらには、着脱機能を備えたヒンジ装置を利用して、フリップの携帯式電話機本体に対する着脱が行われるように構成された携帯式電話機に関するものである。
【０００２】
【従来の技術】
携帯式電話機としては、携帯式電話機本体にフリップが着脱自在に取り付けられたフリップタイプと、フリップなしの一体タイプと、が知られている。現在のところ、軽量化と利便性の点で、一体タイプが主流となりつつある。
【０００３】
【発明が解決しようとする課題】
しかしながら、スイッチの誤操作防止、コンパクト化、デザインの多様性、などといったフリップタイプの利点のために、両タイプのコンパチ化が要望されている。また、必要に応じて、フリップを取外し可能とすることが要望されている。
【０００４】
本発明は、上記事情に鑑みてなされたもので、着脱機能を備えたフリップを提供することを目的とする。
また、本発明は、フリップに着脱機能を付与するために、ヒンジ機能に加えて着脱機能も備えたヒンジ装置を提供することを目的とする。
さらには、本発明は、フリップが携帯式電話機本体に対して着脱可能であるように構成された携帯式電話機を提供することを目的とする。
【０００５】
【課題を解決するための手段】
請求項１記載のヒンジ装置においては、前方側に突出用孔が形成されたケーシングと、該ケーシング内に収容されるとともに、軸線回りにカム面が形成されたカム部と、前記カム部に対して前記軸線方向前方側に連結されるとともに、前記突出用孔から突出可能なサイズに形成され、かつ、前記軸線回りの回転に関して非対称形状とされた突出部と、前記ケーシングに対して相対回転不可能な状態で前記ケーシング内に収容され、前記カム面を前記軸線と直交する方向から把持するヒンジばねと、前記ケーシング内において前記カム部の前記軸線方向後方側に収容され、前記突出部を前記軸線方向前方側へと付勢する押しばねと、を具備することを特徴としている。
請求項２記載のヒンジ装置においては、請求項１記載のヒンジ装置において、前記突出部は、略半球形状とされているとともに、先端に、前記軸線回りの回転に関して非対称形状をなす凹部を有していることを特徴としている。
請求項３記載のヒンジ装置においては、請求項１または２記載のヒンジ装置において、前記カム部および前記突出部を貫通する貫通孔が設けられていることを特徴としている。
請求項４記載のフリップにおいては、携帯式電話機本体に対して開閉されるフリップであって、請求項１、２または３記載のヒンジ装置を備えているとともに、該ヒンジ装置を利用して前記携帯式電話機本体に対して着脱されるよう構成されていることを特徴としている。
請求項５記載の携帯式電話機においては、携帯式電話機本体に対して開閉されるフリップと、携帯式電話機本体と、を具備する携帯式電話機であって、前記フリップおよび前記携帯式電話機本体の一方に、請求項１、２または３記載のヒンジ装置が備えられ、前記フリップが該ヒンジ装置を利用して前記携帯式電話機本体に対して着脱されるよう構成されていることを特徴としている。
請求項６記載の携帯式電話機においては、請求項５記載の携帯式電話機において、前記フリップおよび前記携帯式電話機本体の一方に、請求項２記載のヒンジ装置が備えられ、前記フリップおよび前記携帯式電話機本体の他方に、前記ヒンジ装置の前記突出部における前記凹部に対して凹凸嵌合する凸部が設けられていることを特徴としている。
請求項７記載の携帯式電話機においては、請求項５または６記載の携帯式電話機において、前記フリップおよび前記携帯式電話機本体の他方に、前記フリップを取り外すに際して、前記ヒンジ装置の前記突出部を前記軸線方向後方側に押し込むための押込機構が設けられていることを特徴としている。
請求項８記載の携帯式電話機においては、請求項５、６または７記載の携帯式電話機において、前記フリップおよび前記携帯式電話機本体の他方に、前記フリップを装着するに際して、前記ヒンジ装置の前記突出部に当接して該突出部を前記軸線方向後方側に押し込むよう案内する傾斜案内部が設けられていることを特徴としている。
【０００６】
請求項１記載の発明によると、軸線回りにカム面が形成されたカム部は、ヒンジばねに把持された状態で、軸線回りに回転される。このとき、ヒンジばねの把持力によって、カム面形状に応じたトルクがカム部にもたらされる。このようにして、所望のトルク特性を有したヒンジ機能がもたらされる。
また、カム部に連接された突出部は、押しばねによって軸線方向前方側へと付勢されており、常態においてはケーシングの突出孔から突出しているものの、外部から押込力を与えることで、押しばねの付勢力に抗して軸線方向後方側へと引き込むことが可能とされている。このように、突出部が引込可能とされていることにより、ヒンジ装置に着脱機能が付与されている。
請求項２記載の発明によると、突出部が略半球形状とされていることにより、軸線方向から押し込んだ場合だけでなく、軸線に対して斜め方向から押し込んだ場合であっても、さらには、軸線に対する直交方向から押し込んだ場合であっても、突出部は、引き込むことが可能である。
加えて、突出部が、先端に、軸線回りの回転に関して非対称形状をなす凹部を有していることにより、突出部が略半球形状であっても、空回転が防止され、ヒンジ機能がもたらされる。
請求項３記載の発明によると、貫通孔を利用して電気接続を行うことが可能である。
請求項４記載の発明によると、フリップが上記のようなヒンジ装置を備えているので、フリップは、ヒンジ装置の着脱機能を利用して、携帯式電話機本体に対して着脱される。また、フリップが携帯式電話機本体に装着された状態においては、フリップは、ヒンジ装置のヒンジ機能を利用して、携帯式電話機本体に対して開閉される。
請求項５記載の発明によると、フリップおよび携帯式電話機本体の一方に、上記のようなヒンジ装置が備えられているので、ヒンジ装置の着脱機能を利用して、フリップと携帯式電話機本体との着脱が行われ、また、フリップが携帯式電話機本体に装着された状態においては、ヒンジ装置のヒンジ機能を利用して、フリップが携帯式電話機本体に対して開閉される。
請求項６記載の発明によると、フリップおよび携帯式電話機本体の一方に、先端に凹部が形成された突出部を有する上記ヒンジ装置が備えられ、他方に、凹部に対して凹凸嵌合する凸部が設けられているので、これら凹部・凸部間の凹凸嵌合により、フリップ装着時におけるヒンジ装置の結合力が高められ、ヒンジ機能がより確実にもたらされる。
請求項７記載の発明によると、フリップを携帯電話機本体に装着しているときに、押込機構を動作させると、ヒンジ装置の突出部が軸線方向後方側に押し込まれ、これにより、ヒンジ装置が取り外される。つまり、フリップが携帯式電話機本体から取り外される。
請求項８記載の発明によると、フリップが携帯電話機本体から取り外されているときに、ヒンジ装置の突出部を傾斜案内部に押し当てると、突出部は、傾斜案内部に案内されて引き込まれる。これを利用して、フリップの携帯電話機本体に対する装着が容易になされる。
【０００７】
【発明の実施の形態】
以下、本発明の実施の形態について、図面を参照して説明する。
【０００８】
〔第１実施形態〕
図１は、本発明のヒンジ装置の第１実施形態を示すもので、図１において、ヒンジ装置１０は、ケーシング１１、カム部１２、係止部１３、突出部１４、ヒンジばね１５、押しばね１６、等を備えて構成されている。
【０００９】
ケーシング１１は、略四角筒状をなすとともに、前方側に突出用孔１１ａが形成されて構成されている。
【００１０】
カム部１２は、ケーシング１１内に収容されるとともに、軸線回りにカム面が形成されて構成されている。カム部１２は、一例として、図２に示すような形状とされている。すなわち、カム部１２は、軸線Ｏ回りに線対称形状とされており、軸線Ｏ回りに、カム面として、保持面１２ａと復帰力受面１２ｂとを有している。
【００１１】
ここで、図示例のカム部１２が、携帯式電話機に適用された場合のカム動作について説明すると、例えば、フリップの携帯式電話機本体に対する開状態は、図示Ａの状態であるように設定されている。このＡの状態においては、ヒンジばね１５は、保持面１２ａを把持しており、フリップは、携帯式電話機本体に対して、開き角β（例えば１２０゜）でもって安定的に保持される。
【００１２】
また、フリップの携帯式電話機本体に対する閉状態は、図示Ｃの状態であるように設定されている。このＣの状態においては、ヒンジばね１５は、復帰力受面１２ｂを把持している。この復帰力受面１２ｂは、軸線Ｏを中心とする仮想円弧面Ｄよりも内方側に位置しており、このため、この閉状態においては、ヒンジばね１５には、フリップを閉める方向のトルクが発生しており、フリップは、より閉まる方向に付勢される。
【００１３】
閉状態からフリップを開けた場合には、すなわち、ヒンジばね１５を図示右回りに相対回転させた場合には（図示実施形態においては、実際には、カム部１２が回転する。ただし、カム部１２とヒンジばね１５との位置関係は、相対的なものであるので、相対的にどちらかが回転すれば良い）、図示Ｂの状態を過ぎると、フリップは一気に（自動的に）開状態へと移行する。この移行角度αは、例えば３０゜に設定されている。
【００１４】
図１に戻ると、係止部１３は、カム部１２の軸線方向前方側に連結されているとともに、突出用孔１１ａよりも大きなサイズに形成されている。
【００１５】
突出部１４は、係止部１３の前方側に連結されているとともに、突出用孔１１ａから突出可能なサイズに形成されている。突出部１４は、空回転を起こさないように、軸線Ｏ回りの回転に関して非対称な形状に形成されている。図１の例においては、突出部１４は、略半球形状とされている。しかしながら、先端に、直線状の凹部１４ａを有していることで、回転に関して非対称な形状とされている。
【００１６】
ヒンジばね１５は、共に板ばねとされた内ばね１５ａおよび外ばね１５ｂから構成されており、ケーシング１１に対して相対回転不可能な状態でケーシング１１内に収容されている。図示の実施形態においては、ケーシング１１が略四角筒状とされ、かつ、ヒンジばね１５が板ばねとされることで、互いの相対回転が阻止されている。ヒンジばね１５は、カム部１２のカム面を軸線Ｏと直交する方向から把持しており、カム面のうちの把持部分の局所的な形状に応じたトルクを生成する。
【００１７】
押しばね１６は、ケーシング１１内において、カム１２部の軸線方向後方側、図示例においては、ヒンジばね１５の後方側に位置して収容されている。押しばね１６は、突出部１４を軸線方向前方側へと付勢している。
【００１８】
上記のように構成されたヒンジ装置１０は、カム部１２とヒンジばね１５との上記相互作用によって、カム面形状に応じたトルク特性のヒンジ機能を有している。同時に、突出部１４が押しばね１６によって軸線方向前方側へと付勢されており、外部から押込力を与えることで、押しばね１６の付勢力に抗して軸線方向後方側への引込が可能に構成されている。つまり、ヒンジ装置１０は、着脱機能を有している。
【００１９】
次に、上記のようなヒンジ装置１０が固定取付されるフリップの一構成例について、説明する。
【００２０】
図３に示すように、フリップ２０は、フリップ本体２１と、取付部２２と、を備えて構成されている。
【００２１】
取付部２２は、フリップ本体２１の一側縁における両縁部から突出した形態で、２個のものが一体形成されている。取付部２２には、略四角形状の配設孔２２ａが形成されている。この場合、配設孔２２ａは、ヒンジ装置１０のケーシング１１の外形サイズよりもわずかに小さなサイズとされている。
【００２２】
このようなフリップ２０に対しては、各取付部２２内に、ヒンジ装置１０が固定取付される。具体的には、若干大きめのサイズとされたヒンジ装置１０を、若干小さめのサイズとされた配設孔２２ａ内に、強制的に嵌合させることで、固定が達成される。
【００２３】
このようにして構成されたフリップ２０は、ヒンジ機能と着脱機能とを有したヒンジ装置１０を固定的に備えていることにより、ヒンジ機能と着脱機能とを有している。
【００２４】
次に、上記のようなフリップ２０が適用される携帯式電話機本体の一構成例について、説明する。
【００２５】
図４に示すように、携帯式電話機本体３０には、一側縁に取付部３１が設けられている。
【００２６】
取付部３１は、凹所３２と、中央隆起部３３と、から構成されている。これら、凹所３２および中央隆起部３３の形状は、フリップ２０の取付部２２の形状と対応している。
【００２７】
中央隆起部３３には、両端部に、取付孔３３ａが形成されている。この取付孔３３ａのサイズは、ヒンジ装置１０の突出部１４のサイズとほぼ等しいものとされている。そして、取付孔３３ａ内には、図５に拡大して示すように、ヒンジ装置１０の突出部１４における凹部１４ａに対して凹凸嵌合可能な凸部３３ｂが形成されている。
【００２８】
図６は、上記のように構成されたフリップ２０を、携帯式電話機本体３０に対して取り付ける様子を示す図である。図に示すように、フリップ２０には、予め、取付部２２に突出部１４が内方に突出する形態でヒンジ装置１０が固定されている。そして、このフリップ２０を携帯式電話機本体３０に対して取り付ける。取付に際しては、ただ単に、フリップ２０を携帯式電話機本体３０に対して押し付けるだけで良い。
【００２９】
というのは、突出部１４が略半球形状とされていることにより、突出部１４が中央隆起部３３の壁に当接した際に、容易に、突出部１４が図示矢印Ｅで示すように軸線方向後方側へと押し込まれ得るからである。このようにして、フリップ２０が携帯式電話機本体３０に対して装着される。このように、フリップ２０が携帯式電話機本体３０に装着されることによって、携帯式電話機が組み立てられる。
【００３０】
また、一旦装着されたフリップ２０を、携帯式電話機本体３０から取り外すに際しては、ただ単に、フリップ２０を携帯式電話機本体３０から引き抜くだけで良い。
【００３１】
というのは、突出部１４が略半球形状とされていることにより、突出部１４が周囲壁に押し付けられた際に、容易に、突出部１４が軸線方向後方側へと引き込まれ得るからである。このようにして、フリップ２０が携帯式電話機本体３０から容易に取り外される。
【００３２】
装着後のカム動作については、上述の通りである。
【００３３】
この場合、ヒンジ装置１０における突出部１４の凹部１４ａと、取付孔３３ａ内の凸部３３ｂと、の間の凹凸嵌合が行われていることにより、突出部１４の空回転が防止されているとともに、フリップ２０の装着時におけるヒンジ装置１０の結合力が高められている。
【００３４】
〔第２実施形態〕
この実施形態におけるヒンジ装置は、上記ヒンジ装置１０に対して、突出部１４の形状が略四角柱形状とされていることのみが相違している。
【００３５】
この実施形態におけるフリップは、上記フリップ２０と同一構成である。
【００３６】
この実施形態における携帯式電話機本体は、上記携帯式電話機本体３０に対して、▲１▼中央隆起部３３内に押込機構４０を備えている点、▲２▼中央隆起部３３に傾斜案内部５０が形成されている点、のみが相違している。
【００３７】
押込機構４０は、端部が外部に露出している（図８の例においては、突出している例を示しているが、必ずしも突出していなくても良い）駆動部材４１と、可動部材４２と、から構成されている。これら駆動部材４１および可動部材４２は、傾斜面を介して当接している。
【００３８】
図８のようにフリップ２０が携帯式電話機本体３０に装着された状態から、フリップ２０を取り外すに際しては、駆動ロッド４１に対して、図示矢印Ｆ方向に押込力が印加される。これにより、駆動ロッド４１は、図示矢印Ｇ方向に移動する。これに伴って、傾斜面に案内されることによって、可動部材４２が、図示矢印Ｈ方向に移動する。これにより、突出部１４が十分に押し込まれ、フリップ２０を、容易に取り外すことができる。
【００３９】
ここで、図９に示すように、フリップ２０において、駆動部材４１に対応した位置に、突起４５を設けておけば、フリップ２０を１８０゜開くことによって、フリップ２０を容易に取り外すことができる。
【００４０】
また、図１０に示すように、フリップ２０が携帯式電話機本体３０から取り外された状態から、フリップ２０を装着するに際しては、ただ単に、フリップ２０を押し込むだけで良い。というのは、フリップ２０を押し込むにつれて広がるような傾斜案内部５０が中央隆起部３３に設けられていることにより、ヒンジ装置１０の突出部１４を傾斜案内部５０に押し当てて、フリップ２０を押し込んだときには、フリップ２０を押し込むにつれて、突出部１４は、傾斜案内部５０に案内されつつ徐々に引き込まれるからである。このようにして、フリップ２０の携帯電話機本体３０に対する装着が容易になされる。
【００４１】
〔第３実施形態〕
この実施形態におけるヒンジ装置は、上記第１実施形態のヒンジ装置１０に対して、カム部１２、係止部１３、突出部１４、ヒンジばね１５を貫通して貫通孔が形成されている点のみが相違している。
【００４２】
この貫通孔内には、図１１（ａ）に示すように、先端が突出引込自在とされたスプリングプローブ６０（図１１（ｂ））が配置固定されている。スプリングプローブ６０は、また、押しばね１６の内部空間を挿通して配置されている。スプリングプローブ６０には、マイクロコード６１が接続されている。スプリングプローブ６０の先端は、電気接点をなす。
【００４３】
この実施形態におけるフリップは、上記フリップ２０と同一構成である。
【００４４】
この実施形態における携帯式電話機本体は、上記携帯式電話機本体３０に対して、凸部３３ｂが接触端子とされている点、のみが相違している。凸部３３ｂには、マイクロコード６２が接続されている。
【００４５】
この実施形態においては、フリップ２０を携帯式電話機本体３０に対して装着すると、貫通孔内に配置固定されたスプリングプローブ６０と、凸部３３ｂと、が電気的に接触する。これにより、フリップ２０の装着によって、自動的に、フリップ２０内に設けられたフリップマイク等のような電気素子（図示せず）を、マイクロコード６１、６２を介して携帯式電話機本体３０に対して、接続することができる。よって、フリップマイクと本体マイク６５とを同時に使用したり、あるいは、選択使用したりすることができる。
【００４６】
なお、本発明は、上記実施形態に限定されるものではなく、以下の形態とすることもできる。
ａ）フリップ２０側にヒンジ装置１０を設けることに代えて、携帯式電話機本体３０側にヒンジ装置１０を設けること。
ｂ）ヒンジ装置１０における突出部１４先端に直線状凹部１４ａを設けることに代えて、十字状凹部等、他の任意の回転非対称形状の凹部を設けること。
ｃ）カム部１２の形状を図２に示す形状とすることに代えて、他の任意のカム形状とすること。
【００４７】
〔比較例〕
一方、図１２には、ヒンジ装置の比較例を示す。このヒンジ装置１００は、ケーシング１０１、突出部１０２、カム部材１０３、１０４、ばね１０５、等を備えて構成されている。
【００４８】
このヒンジ装置１００は、常態においては、カム部材１０３、１０４どうしが凹凸嵌合しており、大きな回転力が印加されたときには、カム部材１０４がばね１０５の付勢力に抗して後方側に引き込まれることにより、カム動作がなされるように構成されている。
【００４９】
このようなヒンジ装置１００に着脱機能を求めたにしても、このようなヒンジ装置１００にあっては、ばね１０５が単一であるために、最適なヒンジ機能と最適な着脱機能を、同時に得ることができないという問題点がある。
【００５０】
すなわち、ヒンジ機能に係わるばねと着脱機能に係わるばねとが共通であるために、一方の機能に合わせてばね力を最適に設定すれば、他方の機能に対しては、ばね力が最適値から外れてしまうこととなる。
【００５１】
これに対して、本発明によるヒンジ装置１０は、ヒンジばね１５と押しばね１６とが個別に設けられていることのために、ヒンジばね１５の強さと押しばね１６の強さとを、個別に設定することができるという格別の利点がある。つまり、ヒンジ機能に適したばね強さと着脱機能に適したばね強さとを個別に設定することができ、双方の機能とも、満足のいく特性を得ることができる。
【００５２】
【発明の効果】
本発明のヒンジ装置およびフリップならびに携帯式電話機によれば、以下の効果を奏する。
請求項１記載のヒンジ装置によれば、ヒンジ装置がカム部とヒンジばねとによりヒンジ機能を有していることはもちろん、カム部に連接された突出部が、押しばねによって軸線方向前方側へと付勢されていることにより、着脱機能も有している。この場合、ヒンジばねの強さと押しばねの強さとを、個別に設定することができ、ヒンジ機能に適したばね強さと着脱機能に適したばね強さとを個別に設定することができ、双方の機能とも、満足のいく特性を得ることができる。
請求項２記載のヒンジ装置によれば、突出部が略半球形状とされていることにより、押込方向によらず、突出部の引込を容易に行うことができ、ヒンジ装置の着脱機能を容易にもたらすことができる。
加えて、突出部が、先端に、軸線回りの回転に関して非対称形状をなす凹部を有していることにより、突出部が略半球形状であっても、空回転を防止できて、ヒンジ機能をもたらすことができる。
請求項３記載のヒンジ装置によれば、貫通孔を利用して電気接続を行うことができる。
請求項４記載のフリップによれば、フリップが、ヒンジ機能と着脱機能とを有した上記のようなヒンジ装置を備えているので、フリップを、ヒンジ装置の着脱機能を利用して、携帯式電話機本体に対して着脱することができる。また、フリップが携帯式電話機本体に装着された状態においては、フリップを、ヒンジ装置のヒンジ機能を利用して、携帯式電話機本体に対して開閉することができる。
請求項５記載の携帯式電話機によれば、フリップおよび携帯式電話機本体の一方が、ヒンジ機能と着脱機能とを有した上記のようなヒンジ装置を備えているので、ヒンジ装置の着脱機能を利用して、フリップと携帯式電話機本体との着脱を行うことができる。また、フリップが携帯式電話機本体に装着された状態においては、ヒンジ装置のヒンジ機能を利用して、フリップを携帯式電話機本体に対して開閉することができる。
請求項６記載の携帯式電話機によれば、フリップおよび携帯式電話機本体の一方が、先端に凹部が形成された突出部を有する上記ヒンジ装置を備え、他方が、凹部に対して凹凸嵌合する凸部を備えているので、これら凹部・凸部間の凹凸嵌合により、フリップ装着時におけるヒンジ装置の結合力を高めることができ、ヒンジ機能を、より確実にもたらすことができる。
請求項７記載の携帯式電話機によれば、押込機構を動作させることにより、容易に、ヒンジ装置を取り外すことができる。すなわち、容易に、フリップを携帯式電話機本体から取り外すことができる。
請求項８記載の携帯式電話機によれば、ヒンジ装置の突出部を傾斜案内部に押し当てることにより、容易に、ヒンジ装置を装着することができる。すなわち、容易に、フリップを携帯式電話機本体に装着することができる。
【図面の簡単な説明】
【図１】  本発明のヒンジ装置の第１実施形態を示す図であって、（ａ）は平面図、（ｂ）は正面図を示している。
【図２】  図１のヒンジ装置におけるカム部形状の一例を示す断面図である。
【図３】  フリップの一構成例を示す図であって、（ａ）は平面図、（ｂ）は正面図を示している。
【図４】  携帯式電話機本体の外形形状を概略的に示す図であって、（ａ）は平面図、（ｂ）は正面図を示している。
【図５】  図４におけるV−V線矢視断面を拡大して示す図である。
【図６】  フリップを携帯式電話機本体に対して取り付ける様子を示す斜視図である。
【図７】  本発明のヒンジ装置の第２実施形態を示す図であって、（ａ）は正面図、（ｂ）は左側面図を示している。
【図８】  携帯式電話機本体の他の形態を概略的に示す図である。
【図９】  図８の携帯式電話機本体に適用して好適なフリップの例を概略的に示す図である。
【図１０】  第２実施形態において、フリップが携帯式電話機本体に装着される様子を示す図である。
【図１１】  本発明の第３実施形態を示す図である。
【図１２】  ヒンジ装置の比較例を示す図である。
【符号の説明】
１０    ヒンジ装置
１１    ケーシング
１１ａ  突出用孔
１２    カム部
１４    突出部
１４ａ  凹部
１５    ヒンジばね
１６    押しばね
２０    フリップ
３０    携帯式電話機本体
３３ｂ  凸部
４０    押込機構
５０    傾斜案内部
Ｏ    軸線
【図１】
0004159646.tif 000002
【図２】
0004159646.tif 000003
【図３】
0004159646.tif 000004
【図４】
0004159646.tif 000005
【図５】
0004159646.tif 000006
【図６】
0004159646.tif 000007
【図７】
0004159646.tif 000008
【図８】
0004159646.tif 000009
【図９】
0004159646.tif 000010
【図１０】
0004159646.tif 000011
【図１１】
0004159646.tif 000012
【図１２】
0004159646.tif 000013